(57)【要約】【課題】  データ処理装置を長時間使用するユーザが、同時に大量のマイナスイオンを含む空気の環境に身をおくことができる利便性が高くてマイナスイオン効果を有するデータ処理製品の構造および方法を提供する。【解決手段】  マイナスイオン発生装置２００は、装置本体２、少なくとも一つの空気圧式アクチュエータ３および少なくとも一つのマイナスイオンモジュール４を備える。装置本体２は、第１側２１に設けられた排気部２１１および第２側２２に設けられた吸気部２２１を有する。空気圧式アクチュエータ３は、装置本体２内に設けられて、排気部２１１、吸気部２２１またはそれらの組合せと連通される。マイナスイオンモジュール４は、装置本体２内に設けられ、第１側２１と第２側２２との間の範囲内に設けられ、マイナスイオンモジュール４は、空気圧式アクチュエータ３およびデータ処理製品１００に電気的に接続される。【選択図】  図１
2006313430.tif 000002
【特許請求の範囲】
【請求項１】
データ処理製品に用いるマイナスイオン発生装置であって、
第１側に設けられた排気部および第２側に設けられた吸気部を有する装置本体と、
前記装置本体内に設けられて、前記排気部、前記吸気部またはそれらの組合せに連通され、前記データ処理製品に電気的に接続される少なくとも一つの空気圧式アクチュエータと、
前記装置本体内で前記第１側と前記第２側との間の範囲内に設けられ、前記データ処理製品に電気的に接続される少なくとも一つのマイナスイオンモジュールと、
を備えることを特徴とするマイナスイオン発生装置。
【請求項２】
前記装置本体に設けられた一つのスイッチが前記マイナスイオンモジュールおよび前記空気圧式アクチュエータに同時に電気的に接続されることを特徴とする請求項１記載のマイナスイオン発生装置。
【請求項３】
前記装置本体に設けられた二つのスイッチがそれぞれ、前記マイナスイオンモジュールおよび前記空気圧式アクチュエータに電気的に接続されることを特徴とする請求項１記載のマイナスイオン発生装置。
【請求項４】
前記装置本体は、前記マイナスイオン発生装置のオンオフ状態を表示する発光ユニットをさらに備えることを特徴とする請求項１記載のマイナスイオン発生装置。
【請求項５】
前記空気圧式アクチュエータはファンであることを特徴とする請求項１記載のマイナスイオン発生装置。
【請求項６】
前記装置本体は対応電源コネクタをさらに備え、前記データ処理製品は電源コネクタをさらに備え、前記電源コネクタと前記対応電源コネクタとが互いに接続されて前記装置本体に電源が供給されることを特徴とする請求項１記載のマイナスイオン発生装置。
【請求項７】
前記装置本体の前記第１側には前記スイッチが設けられ、前記データ処理製品には設置部が設けられ、前記マイナスイオン発生装置は、前記装置本体が前記設置部内に設置され、前記装置本体の前記第１側が外側に向いていることを特徴とする請求項２または３記載のマイナスイオン発生装置。
【請求項８】
前記装置本体は、互いに向かい合う第３側および第４側をさらに備え、前記第３側および前記第４側のそれぞれには多数の固定孔が設けられ、前記データ処理製品は、様々な記憶媒体を設置するための多数の設置スペースを有し、各前記設置スペースの内壁は多数の孔体を有し、前記多数の設置スペース内の一つが前記設置部であり、前記装置本体の前記固定孔のそれぞれは、前記設置部の各前記孔体に対応して螺設可能であることを特徴とする請求項７記載のマイナスイオン発生装置。
【請求項９】
前記装置本体は電気コネクタが電気的に接続可能であり、前記電気コネクタは前記データ処理製品の有する対応コネクタに電気的に挿入可能であり、前記マイナスイオン発生装置は前記電気コネクタを介して前記データ処理製品に外接可能であることを特徴とする請求項１記載のマイナスイオン発生装置。
【請求項１０】
前記電気コネクタはユニバーサルシリアルバスコネクタであることを特徴とする請求項９記載のマイナスイオン発生装置。
【請求項１１】
内側から外側まで貫通している多数の気孔を有するボディーと、
前記ボディー内に設置されるマザーボードと、
前記マザーボード上に設置され、前記マザーボードと電気的に接続される少なくとも一つのマイナスイオンモジュールと、
前記ボディー内に設けられ、データ処理製品と電気的に接続され、前記ボディー上にある多数の気孔とともに空気対流を形成する少なくとも一つの空気圧式アクチュエータと、
を備えることを特徴とするマイナスイオン発生機能を有するデータ処理製品。
【請求項１２】
前記空気圧式アクチュエータはファンであることを特徴とする請求項１１記載のマイナスイオン発生機能を有するデータ処理製品。
【請求項１３】
データ処理製品のボディー内に用い、内側から外側まで貫通している多数の気孔を有するデータ処理製品のボディー内に用いるマイナスイオン式マザーボードであって、
前記マザーボード上に設置され、前記マザーボードと電気的に接続される少なくとも一つのマイナスイオンモジュールと、
前記マザーボード上に設置され、前記マザーボードと電気的に接続され、前記ボディー上にある多数の気孔とともに空気対流を形成する少なくとも一つの空気圧式アクチュエータと、
を備えることを特徴とするマイナスイオン式マザーボード。
【請求項１４】
前記空気圧式アクチュエータはファンであることを特徴とする請求項１３記載のマイナスイオン式マザーボード。
【請求項１５】
前記マイナスイオンモジュールは、前記空気圧式アクチュエータと各前記気孔との間の対流範囲内に設けられることを特徴とする請求項１３記載のマイナスイオン式マザーボード。
【請求項１６】
マイナスイオン発生機能を有するデータ処理製品の製造方法であって、
この方法は、マイナスイオンモジュールをデータ処理製品に用いるのに使用され、前記データ処理製品は少なくとも一つの空気圧式アクチュエータおよび内側から外側まで貫通している多数の気孔を有し、
前記空気圧式アクチュエータと各前記気孔との間の対流範囲内である前記データ処理製品内の一箇所に設置位置を設けるステップと、
前記マイナスイオンモジュールを前記設置位置に設置するステップと、
前記データ処理製品の電源を前記マイナスイオンモジュールに接続するステップと、
を含むことを特徴とするマイナスイオン発生機能を有するデータ処理製品の製造方法。
【請求項１７】
前記データ処理製品はマザーボードを有し、前記設置位置は前記マザーボード上に設けられることを特徴とする請求項１６記載のマイナスイオン発生機能を有するデータ処理製品の製造方法。
【請求項１８】
マイナスイオンモジュールをデータ処理製品に用いるのに使用される、マイナスイオン発生機能を有するデータ処理製品の製造方法であって、
設置部を前記データ処理製品の一の側に設けるステップと、
カバー体を設けて、前記カバー体の向かい合う二つの側のそれぞれに、能動的に対流させる吸気部および排気部を備えるステップと、
前記マイナスイオンモジュールを前記カバー体内の前記吸気部と前記排気部との間に設置するステップと、
前記カバー体を前記設置部内に設置するステップと、
前記データ処理製品の電源を前記カバー体へ接続するステップと、
を含むことを特徴とするマイナスイオン発生機能を有するデータ処理製品の製造方法。
【請求項１９】
前記設置部は、前記データ処理製品中に様々な記憶媒体を設置するために用いられる多数の設置スペースの一つであることを特徴とする請求項１８記載のマイナスイオン発生機能を有するデータ処理製品の製造方法。
【請求項２０】
前記カバー体は、少なくとも一つの空気圧式アクチュエータを備え、前記空気圧式アクチュエータは、前記吸気部、前記排気部またはそれらの組合せと隣接することを特徴とする請求項１８記載のマイナスイオン発生機能を有するデータ処理製品の製造方法。
【請求項２１】
前記カバー体の前記排気部は、前記設置部から外部へ露出されることを特徴とする請求項１８記載のマイナスイオン発生機能を有するデータ処理製品の製造方法。
【請求項２２】
前記カバー体には対応電源コネクタが設置され、前記データ処理製品には電源コネクタが設置され、前記電源コネクタと前記対応電源コネクタとを互いに接続して電源を供給することを特徴とする請求項１８記載のマイナスイオン発生機能を有するデータ処理製品の製造方法。
【発明の詳細な説明】
【技術分野】
【０００１】
本発明は、データ処理製品に用いられ、大量のマイナスイオンを含む空気を出力させるマイナスイオン発生装置、およびマイナスイオン発生機能を有するデータ処理製品の構造およびその製造方法に関する。
【背景技術】
【０００２】
マイナスイオンとは、マイナス電気を帯びた微粒子を指す。例えば、空気中のプラス電気を帯びた微粒子はプラスイオンといい、マイナス電気を帯びた微粒子はマイナスイオンといい、所謂イオンとは空気中に浮遊する電子を帯びた原子を指す。
【０００３】
マイナスイオンの効果に関していえば、人体の酸アルカリ性のバランスは健康にとって非常に重要であり、空気が非常に汚染されている場所の空気はプラスイオンを多く含み、人体の細胞を酸性化させる傾向がある。マイナスイオンは、身体細胞をアルカリ性にして、人体内の酸アルカリ性のバランスをとって新陳代謝を促進させることができる。例えば、水源が豊富な郊外や雷が去った後の野外の空気は特にさわやかで新鮮であり、人体の状態も市街地にいるより良好となる理由は、さわやかで新鮮な空気に含まれる大量のマイナスイオンのせいである。また他に医学上、マイナスイオンは神経系統を落ち着かせ、更には血液中のヘモグロビンを増加させて血糖値を下げ、人体の健康を大いに促進させる。そしてこれは全てマイナスイオンの効果である。
【０００４】
そのため、マイナスイオンの環境に随時どこでも浸ることができるように、各種様々なマイナスイオン発生装置が開発されている。それは非常に大きな自然の力により空気中のマイナスイオンの数を増加させて、随時どこでもマイナスイオンの環境にいることができるようにする。例えば、特許文献１の「マイナスイオン発生装置」は、薄板圧電セラミック変圧器により高電圧を発生させてから、多段型倍電圧回路によりさらに電圧を高めて、これに接続されたマイナスイオン発射ヘッド（放電針）に高圧電場電離空気を発生させて大量のマイナスイオンを発生させる。
【０００５】
それらマイナスイオン発生装置は、独立して使用することだけができ、その他の装置と組み合わせて使用することができなかったために、空間を占有したり、設置位置に困るといった欠点があった。また、マイナスイオン発生装置にはファンが設置されていなかったために、空気の自然流動だけに頼るしかなく、ある室内環境において適当な設置位置を探し出すことは非常に困難であった。ユーザが一日で最もよく接触する装置といえば、データ処理を行うために使用するデスクトップ型コンピュータ、ノートブック型コンピュータまたは携帯型コンピュータなどのデータ処理製品であり、ある人々はそれらの装置を長時間使用しなければならなかった。それらデータ処理製品自体は、放熱の空気対流効果を備えているため、マイナスイオン発生装置とデータ処理製品とを組み合わせて使用することは好適であったが、それらマイナスイオン発生装置とデータ処理製品との間の適用性を必ず考慮して、マイナスイオン発生装置とデータ処理製品とを十分に組み合わせて運用しなければ、ユーザをマイナスイオンが充満した環境へ長時間晒すことはできなかった。
【特許文献１】台湾特許第５７４９２６号公報
【発明の開示】
【発明が解決しようとする課題】
【０００６】
本発明の第１の目的は、データ処理製品に用いるマイナスイオン発生装置、およびマイナスイオン発生装置とデータ処理装置とを効果的に組み合わせて使用することにより、二つの装置間の使用時の適用性を向上させることができるマイナスイオン発生機能を有するデータ処理製品の構造、およびその製造方法を提供することにある。
【０００７】
本発明の第２の目的は、データ処理装置を長時間使用するユーザが、使用と同時に大量のマイナスイオンを含む空気環境に身をおくことができ利便性が高い、マイナスイオン発生装置、およびマイナスイオン発生機能を有するデータ処理製品の構造、およびその製造方法を提供することにある。
【０００８】
本発明の第３の目的は、空間を占有しないために設置位置を考慮する必要が無い効果を備え、その空気の対流が予め設定されているために、その能動的な空気対流により大量のマイナスイオンを含む空気を送り出すことができるマイナスイオン発生装置、およびマイナスイオン発生機能を有するデータ処理製品の構造およびその製造方法を提供することにある。
【課題を解決するための手段】
【０００９】
上述の目的を達成するために、本発明はデータ処理製品に用いるマイナスイオン発生装置を提供し、そのマイナスイオン発生装置は、装置本体、少なくとも一つの空気圧式アクチュエータおよび少なくとも一つのマイナスイオンモジュールを備える。装置本体は、第１側に設けられた排気部および第２側に設けられた吸気部を有する。空気圧式アクチュエータは、装置本体内に設けられて、排気部、吸気部またはそれらの組合せに連通される。マイナスイオンモジュールは、装置本体内に設けられ、第１側と第２側との間の範囲内に設けられる。マイナスイオンモジュールおよび空気圧式アクチュエータは、データ処理製品に電気的に接続される。
【００１０】
また、本発明はマイナスイオン発生機能を有するデータ処理製品を提供し、それはボディー、マザーボード、少なくとも一つのマイナスイオンモジュールおよび少なくとも一つの空気圧式アクチュエータを備える。ボディーには、内側から外側まで貫通している気孔が設置される。マザーボードはボディー内に設置される。マイナスイオンモジュールは、マザーボード上に設置され、マザーボードと電気的に接続される。空気圧式アクチュエータは、ボディー内に設けられ、データ処理製品に電気的に接続される。そして、空気圧式アクチュエータはボディー上に設けられた多数の気孔とともに空気対流を形成する。
【００１１】
本発明はさらにマイナスイオン式マザーボードを提供し、それはデータ処理製品のボディー内に用いる。そのボディーは内側から外側までを貫通している多数の気孔を有し、マザーボードは、少なくとも一つのマイナスイオンモジュールおよび少なくとも一つの空気圧式アクチュエータを備える。そのマイナスイオンモジュールは、マザーボード上に設置され、マザーボードと電気的に接続される。空気圧式アクチュエータは、マザーボード上に設置され、マザーボードと電気的に接続され、空気圧式アクチュエータは、ボディー上にある多数の気孔とともに空気対流を形成する。
【００１２】
本発明はさらにマイナスイオン発生機能を有するデータ処理製品の製造方法を提供し、これはマイナスイオンモジュールをデータ処理製品に用いるのに使用され、データ処理製品は少なくとも一つの空気圧式アクチュエータおよび内側から外側まで貫通している多数の気孔を有する。そして、この方法は次のステップを含む。先ず、設置位置をデータ処理製品の一箇所に設ける。この設置位置は空気圧式アクチュエータと各気孔との間の対流範囲内である。その後、マイナスイオンモジュールを設置位置に設置する。そして、データ処理製品の電源をマイナスイオンモジュールに接続する。
【００１３】
本発明はさらにもう一つのマイナスイオン発生機能を有するデータ処理製品の製造方法を提供し、これはマイナスイオンモジュールをデータ処理製品に用いるのに使用され、その方法は次のステップを含む。先ず、設置部をデータ処理製品の一側に設ける。その後、カバー体の向かい合う両側へ能動的に対流を発生させる吸気部および排気部を設置する。そして、マイナスイオンモジュールをカバー体内の吸気部と排気部との間に設置する。またカバー体を設置部内に設置する。さらにデータ処理製品の電源をカバー体へ接続する。
【発明の効果】
【００１４】
本発明のマイナスイオン発生装置は、データ処理製品とともに使用することができる。例えば、データ処理製品に元からある各種記憶媒体（例えば様々な光ディスク装置）を設置するために用いる設置スペースにマイナスイオン発生装置を設置し、元からある電源供給装置を運用して電源を供給し、元からある放熱の空気対流効果によりマイナスイオン空気（またはさらに能動式対流を増大させる）を出力し、さらには元からある電気コネクタおよび対応コネクタにより外接すると同時に電源を供給し、またはそれらの間で組み合わせて使用することで、適用性を向上させることができる。また、本発明をデータ処理製品と組み合わせて使用した場合、このデータ処理製品を長時間使用するユーザは、大量のマイナスイオンを含んだ空気の環境へ身を置くことができるため利便性に優れている。さらに、本発明は空間を占有することがない上、設置位置を考慮する必要も無いため、その空気の対流を予め設定することができ、その能動的な空気対流により大量のマイナスイオン効果を含む空気を送り出すことができる。その他に、本発明は増設された空気圧式アクチュエータにより、データ処理製品の放熱機能をさらに向上させることもできる。
【発明を実施するための最良の形態】
【００１５】
以下の説明では本発明の特長および技術内容がさらに理解できるよう、図面を基に詳細な説明を行う。
【００１６】
図１から図６は、本実施形態のマイナスイオン発生機能を有するデータ処理製品の構造および方法を示し、図１から図６は、第１実施形態から第６実施形態をそれぞれ示す。
（第１実施形態）
図１および図１Ａは、本発明の第１実施形態を示した斜視図であり、マイナスイオン発生装置２００をデータ処理製品１００に用いたときの状態を示す。データ処理製品１００とは、データ処理を行うデスクトップ型コンピュータ、ノートブック型コンピュータまたは携帯型コンピュータなどを指す。
【００１７】
マイナスイオン発生装置２００は、装置本体２、少なくとも一つの空気圧式アクチュエータ３および少なくとも一つのマイナスイオンモジュール４を備える。装置本体２は第１側２１〜第４側２４を備え、第１側２１には排気部２１１が設けられ、第１側２１に向かい合う第２側２２には一つまたは一つ以上の吸気部２２１が設けられる。空気圧式アクチュエータ３は、例えば軸流式、渦流式または放射式などの様々な方式のファンであり、装置本体２内の吸気部２２１には少なくとも一つの空気圧式アクチュエータ３が設けられ、空気圧式アクチュエータ３が吸気部２２１に連通されて外部の空気が吸入できるようにされている。当然の如く、多数の空気圧式アクチュエータ３は、排気部２１１、吸気部２２１またはそれらの組合せと連通させてもよい。マイナスイオンモジュール４の基本機能は、従来のマイナスイオン発生装置に類似し、その高圧電界でイオン化空気を発生させて大量のマイナスイオンをつくることができ、マイナスイオンモジュール４は装置本体２内の第１側２１と第２側２２との間に設置され、気流を利用することによりマイナスイオンを送り出す利便性を高める。マイナスイオンモジュール４および空気圧式アクチュエータ３は、データ処理製品１００と電気的に接続されて電源が供給される。
【００１８】
マイナスイオン発生装置２００は、データ処理製品１００の設置部１１内に設置され、マイナスイオン発生装置２００の装置本体２の向かい合うように設けられた第３側２３および第４側２４には多数の固定孔２０が設けられ、データ処理製品１００は、様々な記憶媒体を設置することができる多数の設置スペースを有し、各設置スペースの内壁には多数の孔体１７が設けられ、多数の設置スペース内の一つが設置部１１である。マイナスイオン発生装置２００を設置部１１内に設置してから、各固定孔２０を各孔体１７に対応してネジなどで螺設固定し、排気部２１１を有する第１側２１は、設置部１１の外側に露出されて外部と繋がる。そして、大量のマイナスイオンを含む空気が外部へ送り出されるため、データ処理製品１００を長時間使用するユーザは、マイナスイオンが充満した環境へ身を置くことができる。
【００１９】
ここで注意しなければならないことは、データ処理製品１００の設置部１１は、元からある多数の設置スペースの一つでもよいという点である。コンピュータを例にした場合、設置部１１は元からある多数の設置スペース（例えば、光ディスク装置やＣＤ−Ｒ装置などの各種記憶媒体用のスペース）の一つでもよく、ユーザは各種記憶媒体を設置する方式でマイナスイオン発生装置２００を設置することができるため、データ処理製品１００の設計を変更する必要はない。
（第２実施形態）
図２は、本発明の第２実施形態を示したものであり、もう一つのマイナスイオン発生装置２００’をデータ処理製品に用いたときの状態を示す。データ処理製品１００には、マイナスイオン発生装置２００’に対応する設置部１１’を他に設けて設置し、設置した後にデータ処理製品１００と電気的に接続して電源を供給する。また、第２実施形態のマイナスイオン発生装置２００’の構造は、第１実施形態のマイナスイオン発生装置２００の構造と同じであり、外観デザイン、輪郭またはサイズだけが異なる。そして、マイナスイオンを含む空気を外部へ送り出すことができるため、データ処理製品１００を長時間使用するユーザは、マイナスイオンが充満した環境へ身を置くことができる。
【００２０】
本発明の第１実施形態および第２実施形態において、マイナスイオン発生装置２００、２００’の各装置本体は、電源に接続される対応電源コネクタ２５、２５’がさらに設けられ、データ処理製品１００は、対応電源コネクタ２５、２５’に接続されて各装置本体に電源を供給する電源コネクタ１４１を有する。電源コネクタ１４１は、データ処理製品１００中に元からある電源供給装置１４の多数の電源コネクタの一つでもよいし、或いは別に増設してもよい。
（第３実施形態）
図３は、本発明の第３実施形態を示し、マイナスイオン発生装置２００”をデータ処理製品１００に用いた状態を示す。マイナスイオン発生装置２００”は、第１および第２実施形態のマイナスイオン発生装置２００、２００’と同じ構造であり、対応電源コネクタ２５、２５’が無くなり、別に増設された電気コネクタ２６の部分が異なるだけである。電気コネクタ２６は、データ処理製品１００に元から備わっている対応コネクタ１５へ挿入され、マイナスイオン発生装置２００”をデータ処理製品１００へ外接することができる。電気コネクタ２６は、ユニバーサルシリアルバスコネクタ（ＵＳＢ、Ｍｉｎｉ ＵＳＢなど）を指し、電源をマイナスイオン発生装置２００”へ提供し、第３実施形態も大量のマイナスイオンを含んだ空気を送り出すことができるため、データ処理製品１００を長時間使用するユーザは、マイナスイオンが充満した環境へ身を置くことができる。
【００２１】
本発明の第１、第２および第３実施形態の各マイナスイオン発生装置２００、２００’、２００”は、マイナスイオン発生装置２００、２００’、２００”それぞれの各装置本体上に制御スイッチなどを増設して、操作機能の利便性を高めてもよい。図１および図１Ａの第１実施形態で説明すると、装置本体２の第１側２１には少なくとも一つのスイッチ２１２が設けられ、一つのスイッチ２１２をマイナスイオンモジュール４に電気的に接続したり、一つのスイッチ２１２を空気圧式アクチュエータ３に電気的に接続したり、一つのスイッチ２１２をマイナスイオンモジュール４および空気圧式アクチュエータ３へ同時に電気的に接続したりすることにより、マイナスイオンモジュール４または空気圧式アクチュエータ３の起動を単独で制御したり、二つの起動を同時に制御したりすることができる。また、装置本体２の第１側２１に発光ユニット２１３を更に設けて、発光ユニット２１３によりマイナスイオンモジュール４、空気圧式アクチュエータ３またはそれらの組合せのオン、オフ状態を表示するのも好ましい。
（第４実施形態）
図４は、本発明の第４実施形態によるマイナスイオン発生機能を有するデータ処理製品の構造を示す。データ処理製品１００’は、ボディー１、ボディー１内部に設けられたマザーボード１２、ボディー１内部の少なくとも一側に設けられた少なくとも一つの空気圧式アクチュエータ１３と、マザーボード１２上に設けられた少なくとも一つのマイナスイオンモジュール４とを備える。ボディー１には内部から外部まで貫通している多数の気孔１０が設けられ、マイナスイオンモジュール４はさらにマザーボード１２と電気的に接続され、空気圧式アクチュエータ１３はボディー１上にある多数の気孔１０とともに空気対流を形成して、マザーボード１２および空気圧式アクチュエータ１３の電源は、データ処理製品１００’の電源供給装置１４から供給される。ユーザがデータ処理製品１００’を起動させると、マイナスイオンモジュール４も一緒に起動され、データ処理製品１００’の空気圧式アクチュエータ１３と気孔１０との間に空気対流が発生して、マイナスイオンモジュール４は空気対流の範囲内にあるため、気孔１０を介して大量のマイナスイオンを含む空気を外部へ送り出すこともできる。そのため、データ処理製品１００’を長時間使用するユーザは、マイナスイオンが充満した環境へ身を置くことができる。
（第５実施形態）
図５は、本発明の第５実施形態を示し、マイナスイオン式マザーボードをデータ処理製品のボディー内に用いたときの状態を示す。そのボディーには内側から外側まで貫通している多数の気孔（図５にはデータ処理製品、ボディーおよび気孔が表示されていないため、図４を参照すること）が設けられ、マザーボード１６は少なくとも一つのマイナスイオンモジュール４および少なくとも一つの空気圧式アクチュエータ１６１を備える。マイナスイオンモジュール４はマザーボード１６上に設置され、マザーボード１６と電気的に接続される。空気圧式アクチュエータ１６１もマザーボード１６上に設置され、マザーボード１６に電設接続される。空気圧式アクチュエータ１６１は、ボディー上にある多数の気孔とともに空気対流を形成する。そのため、ユーザがデータ処理製品のボディー内で、第５実施形態によるマザーボード１６を使用した場合、データ処理製品を起動すると同時に、マイナスイオンモジュール４も起動させることにより、前述の第４実施形態と同じ機能を達成する。その空気圧式アクチュエータ１６１は、ボディーの空気圧式アクチュエータと互いに作用することにより、好適な空気対流効果を発生させることができるため、より多くのマイナスイオンを送り出すことができる。
（第６実施形態）
図６は、本発明の第６実施形態を示し、マイナスイオン発生装置６００をデータ処理製品５００へ用いたときの状態を示す。データ処理製品５００は、ノートブック型コンピュータまたは携帯型コンピュータである。マイナスイオン発生装置６００は、データ処理製品５００のボディー５の設置部５１内に設置される。設置部５１は、データ処理製品５００が元から有する記憶媒体（例えば薄型光ディスク装置など）の様々な設置スペースの一つである。設置部５１内に設置された後、マイナスイオン発生装置６００の一の側はボディー５の外側へ露出させることができ、当該側へ排気部６１１、スイッチ６１２および発光ユニット６１３を設置して、第１実施形態と同様の機能を持たせることができる。当然の如く、上述した第２〜第５実施形態は、ノートブック型コンピュータや携帯型コンピュータなどといったデータ処理製品５００に適用することもできる。
【００２２】
次に、本発明のマイナスイオン発生機能を有するデータ処理製品の製造方法について説明する。この方法は、マイナスイオンモジュールをデータ処理製品に用いるのに使用され、そのデータ処理製品は、少なくとも一つの空気圧式アクチュエータおよび内部と外部とを繋げる多数の気孔を備えるものとする。本発明の第１の方法は、空気圧式アクチュエータと各気孔との間の対流範囲内であるデータ処理製品中のマザーボードの一箇所に設置位置を設けるステップと、マイナスイオンモジュールを設置位置に設けるようにするステップと、データ処理製品の電源をマイナスイオンモジュールに接続するステップとを含む。本発明の第１の方法により、図４に示すような第４実施形態を完成することができる。
【００２３】
本発明のはマイナスイオン発生機能を有するデータ処理製品の第２の製造方法は、データ処理製品の一の側に設置部を設けるステップと、カバー体（例えば前述の装置本体２）の向かい合う二つの側面に、能動的に対流させる吸気部および排気部を設けるステップと、マイナスイオンモジュールをカバー体内の吸気部と排気部との間に設置させるステップと、カバー体を設置部内に設置するステップと、データ処理製品の電源をカバー体に接続するステップとを含む。カバーの吸気部（または排気部或いは吸気部と排気部との組合せ）がある箇所に少なくとも一つの空気圧アクチュエータを設けて、カバー体の排気部を設置部の外側へ露出させる。また、カバー体には対応電源コネクタが設けられ、データ処理製品は電源コネクタを有し、電源コネクタは、対応電源コネクタへ接続されて電源が供給される。本発明の第２の方法により、図２に示すような第２実施形態を完成させることができる。第２の方法において述べられている設置部を、データ処理製品における各種記憶媒体を設置する多数の設置スペースの一つを使用した場合、図１に示すような本発明の第１実施形態を完成させることができる。
【００２４】
上述の内容は本発明の好適な実施形態を示したものであり、それにより本発明の権利範囲を限定するものではなく、本発明の明細書および図面の内容と同じ効果を有する変化、同様の趣旨は、全て本発明の特許請求の範囲に含まれるべきである。
【図面の簡単な説明】
【００２５】
【図１】本発明の第１実施形態によるデータ処理製品の構造を示す斜視図である。
【図１Ａ】図１に用いられるマイナスイオン発生装置を拡大して示す斜視図である。
【図２】本発明の第２実施形態によるデータ処理製品の構造を示す斜視図である。
【図３】本発明の第３実施形態によるデータ処理製品の構造を示す斜視図である。
【図４】本発明の第４実施形態によるデータ処理製品の構造を示す斜視図である。
【図５】本発明の第５実施形態によるデータ処理製品の構造を示す斜視図である。
【図６】本発明の第６実施形態によるデータ処理製品の構造を示す斜視図である。
【符号の説明】
【００２６】
１  ボディー
１０  気孔
１１、１１’  設置部
１２  マザーボード
１３、１６１  空気圧式アクチュエータ
１４  電源供給装置
１４１  電源コネクタ
１５  対応コネクタ
１６  マザーボード
１７  孔体
１００  データ処理製品
２  装置本体
２０  固定孔
２１  第１側
２１１、６１１  排気部
２１２、６１２  スイッチ
２１３、６１３  発光ユニット
２２  第２側
２２１  吸気部
２３  第３側
２４  第４側
２５  、２５’  対応電源コネクタ
２６  電気コネクタ
３  空気圧式アクチュエータ
４  マイナスイオンモジュール
２００、２００’、２００”、６００  マイナスイオン発生装置
５  ボディー
５１  設置部
５００  データ処理製品
【図１】
2006313430.tif 000003
【図１Ａ】
2006313430.tif 000004
【図２】
2006313430.tif 000005
【図３】
2006313430.tif 000006
【図４】
2006313430.tif 000007
【図５】
2006313430.tif 000008
【図６】
2006313430.tif 000009